(57)【要約】【課題】外気の吸排気による冷却手段を有する撮像装置においては、排気口からの熱を帯びた外気が撮影者に触れないよう考慮する必要がある。しかし、多様なスタイルでの撮影が可能な撮像装置で、各撮影スタイル毎に排気口からの外気を撮影者に触れないようにすることは、困難であった。【解決手段】吸気口と、複数の排気口を備え、複数の撮影スタイルで撮影が可能な撮像装置であって、撮影スタイルによって、前記排気口が切り替わる。【選択図】図１３
2019179942.tif 000002
【特許請求の範囲】
【請求項１】
吸気口と、複数の排気口を備え、複数の撮影スタイルで撮影が可能な撮像装置であって、
撮影スタイルによって、前記排気口が切り替わることを特徴とする撮像装置。
【請求項２】
吸気口と通風路を備えた保持部材は、肩当て形状と通風路と２つの排気口を備えた摺動部材を摺動可能に保持し、前記摺動部材は、第一の位置において第一の排気口が前記保持部材により覆われ、第二の排気口は前記保持部材に覆われることなく外観部に通風可能となり、第二の位置において第二の排気口が前記保持部材により覆われ、第一の排気口は前記保持部材に覆われることなく外観部に通風可能となるダクト機構。
【請求項３】
請求項２に記載のダクト機構を有する請求項１に記載の撮像装置。
【発明の詳細な説明】
【技術分野】
【０００１】
本発明は、切り替え可能な排気口を有する撮像装置に関する。
【背景技術】
【０００２】
デジタルビデオカメラ等の撮像装置においては、ファミリー向けのハンディタイプのものや、報道カメラマン等が使用する肩乗せスタイル、ハンドル保持スタイル、三脚使用スタイル等、各スタイルでの撮影が可能な撮像装置が広く存在している。近年では、総じて高性能化が進み、消費電力増加のため内部回路基板の発熱量が増えている。そのため自然放熱だけでは冷却が不十分となり、送風装置を用いた、吸排気口を有する冷却手段が一般化されている。
【０００３】
この排気口に関しては、熱を持った外気が排出されるため、撮影者に触れないように考慮する必要がある。特に、肩乗せスタイルも可能な撮像装置に関しては、肩乗せスタイル以外にもハンドルを使用するスタイルや、三脚を使用するスタイル等、各撮影スタイルでの考慮が必要である。このような肩乗せスタイルも可能な撮像装置における冷却手段の従来例として、以下のものがある。
【先行技術文献】
【特許文献】
【０００４】
【特許文献１】特開２００６−１２８７４９号公報
【発明の概要】
【発明が解決しようとする課題】
【０００５】
しかしながら、上記従来例では、撮像装置を肩に乗せたスタイルでの撮影には適しているが、撮像装置上部に配置している把持部を使用した撮影を行った場合、排気口が把持部の直下に配置されているため、熱を持った外気が手に触れやすい。すなわち、各撮影スタイルでの撮影者と排気口との関係性が、従来はあまり考慮されていないという問題点があった。
【課題を解決するための手段】
【０００６】
上記の目的を達成するために、本出願に係る第１の発明は、吸気口と、複数の排気口を備え、複数の撮影スタイルで撮影が可能な撮像装置であって、撮影スタイルによって、前記排気口が切り替わることを特徴とした。
【０００７】
更に本出願に係る第２の発明は、吸気口と通風路を備えた保持部材は、肩当て形状と通風路と２つの排気口を備えた摺動部材を摺動可能に保持し、前記摺動部材は、第一の位置において第一の排気口が前記保持部材により覆われ、第二の排気口は前記保持部材に覆われることなく外観部に通風可能となり、第二の位置において第二の排気口が前記保持部材により覆われ、第一の排気口は前記保持部材に覆われることなく外観部に通風可能となるダクト機構を特徴とした。
【０００８】
上記の目的を達成するために、本出願に係る第３の発明は、吸気口と、複数の排気口を備え、複数の撮影スタイルで撮影が可能な撮像装置であって、撮影スタイルによって、前記排気口が切り替わり、吸気口と通風路を備えた保持部材は、肩当て形状と通風路と２つの排気口を備えた摺動部材を摺動可能に保持し、前記摺動部材は、第一の位置において第一の排気口が前記保持部材により覆われ、第二の排気口は前記保持部材に覆われることなく外観部に通風可能となり、第二の位置において第二の排気口が前記保持部材により覆われ、第一の排気口は前記保持部材に覆われることなく外観部に通風可能となるダクト機構を有することを特徴とした。
【発明の効果】
【０００９】
本発明に係る撮像装置によれば、撮影スタイルに合わせて排気口が切り替わるため、排出される熱を帯びた外気による撮影者への影響を減少させることが可能となる。
【図面の簡単な説明】
【００１０】
【図１】撮像装置１の外観斜視図である。
【図２】撮像装置１の外観斜視図である。
【図３】撮像装置１の左側面図である。
【図４】撮像装置１の外観斜視図である。
【図５】ダクト構成とその周辺部材を示す右側面図である。
【図６】ダクトユニット１００の外観斜視図である。
【図７】ダクトユニット１００の外観斜視図である。
【図８】ダクトユニット１００の分解斜視図である。
【図９】肩当て部７の外観斜視図である。
【図１０】肩当て部７が上端位置にある状態のＧ−Ｇ断面図である。
【図１１】肩当て部７が下端位置にある状態のＧ−Ｇ断面図である。
【図１２】撮像装置１の上面図である。
【図１３】撮像装置１のＨ−Ｈ断面図である。
【図１４】撮像装置１のＨ−Ｈ断面図である。
【図１５】肩乗せスタイルの一般的なスタイルを示す図である。
【図１６】三脚に配置して撮影するスタイルを示す図である。
【図１７】三脚に配置して撮影するスタイルを示す図である。
【図１８】ハンドル部３を保持して撮影するスタイルを示す図である。
【発明を実施するための形態】
【００１１】
以下、本発明を図面に基づいて説明する。
【００１２】
＜第１の実施形態＞
図面を参照しながら、本発明を実施するための形態についての説明を行う。なお、説明において右、左とは、被写体側から撮像装置を見た時の方向を示す。また、適宜統一した座標系（Ｘ，Ｙ，Ｚ）を図示する。
【００１３】
まず、外観面での特徴を説明する。
【００１４】
図１、図２は本実施例における撮像装置１の外観斜視図である。撮像装置１の各側面をそれぞれ、正面側をＡ、背面側をＢ、右側面側をＣ、左側面側をＤ、上面側をＥ、底面側をＦとする。
【００１５】
撮像装置１はレンズ部２を通して撮影された光学像が不図示のセンサに取り込まれ、各種メディアに記録される。また撮像装置１は、内部で発生する熱を放出するために後述する送風装置によるダクト機構を有しており、右側面側Ｃにそのための吸気窓６を備えている。同様に右側面側Ｃには各種ボタン類が配置されている。背面側Ｂには電池５を備えている。また撮像装置１は、回動可能な表示部４を備えたハンドル部３、肩当て部７を備えている。この肩当て部７は、後述するが、±Ｙ方向に移動可能となっており、自重で下がる構成としている。
【００１６】
図３は撮像装置１の左側面図を示している。肩当て部７の左側面側には前記ダクトの第一の排気窓８が設けられており、肩当て部７が下がることで第一の排気窓８が露出する構成となっている。
【００１７】
図４は撮像装置１の底面側Ｆの外観斜視図である。撮像装置１には三脚取り付け部９が設けられており、三脚使用時の雲台と当接する面を雲台当接面１５とする。また、底面側Ｆにも第二の排気窓１０を備えている。これらの構成により、本実施例において撮像装置１は、三脚に乗せる三脚スタイル、肩に乗せる肩乗せスタイル、ハンドルを保持するハンドルスタイルのそれぞれのスタイルでの撮影が可能となっている。
【００１８】
続いて、内部構成について説明する。
【００１９】
図５は外観構成部品を２点鎖線で示した、ダクト構成とその周辺部材を示す右側面図である。撮像装置１に配置された、光学像を受光する撮像素子部１１、各種素子が実装されたメイン基板１２は、多くの熱を発生する。その熱を逃がす手段として、ダクトユニット１００を構成している。
【００２０】
撮像素子部１１、メイン基板１２は、それぞれ弾性体からなる伝熱部材１３ａ、伝熱部材１３ｂによりダクトユニット１００と接触しており、それぞれ発生する熱をダクトユニット１００へ伝達する。ダクトユニット１００はアルミ等の熱伝導性の高い部材で形成されおり、内部には通風路を設けている。不図示の送風装置により吸気窓６から外気を吸い込み、前述の不図示である第一の排気窓８、第二の排気窓１０から外気を排出する構成となっている。以上により、ダクトユニット１００は、撮像素子部１１、メイン基板１２からの熱を外気に伝達する役目を果たしている。
【００２１】
続いて、ダクトユニット１００の構成について説明する。
【００２２】
図６、図７はダクトユニット１００の外観斜視図であり、図８はその分解斜視図を示している。また、図９は肩当て部７の外観斜視図を示している。
【００２３】
図６に示すように、ダクトユニット１００の筐体は、ダクトベース右１０１、ダクトベース左１０２、ダクトカバー１０３から構成されており、肩当て部７が摺動可能に保持されている。また、ダクトベース右１０１とダクトベース左１０２により、第二の排気口１００ｂが形成されている。ダクトベース右１０１には吸気口１００ａが構成されており、前述の吸気窓６と対応している。
【００２４】
図９に示すように、肩当て部７は、撮影者の肩に当接するベース部７ａと、その上部に設けた凸部７ｂで構成されている。凸部７ｂには通風路となる開口７ｃと、第一の排気口７ｄ、第二の排気口７ｅを設けている。この第一の排気口７ｄと第二の排気口７ｅは、Ｙ方向において異なる位置に配置されている。なお、第一の排気口７ｄは、前述の第一の排気窓８と対応している。また、凸部７ｂのＸ方向の両側面には段差による壁形状７ｆを設けている。また、ベース部７ａの凸部７ｂが構成されている面を、面７ｇとする。図８において、ダクトベース右１０１、ダクトベース左１０２にはそれぞれ溝形状１０１ａ、溝形状１０２ａを設けている。
【００２５】
送風装置１０４と肩当て部７の凸部７ｂは、ダクトベース右１０１とダクトベース左１０２でそれぞれ溝形状１０１ａ、溝形状１０２ａに挟まれるように保持される。この溝形状に肩当て部７の凸部７ｂはガイドされながら、±Ｙ方向に摺動可能に保持される。なお、送風装置１０４は不図示のビスで固定され、取り付け後にダクトカバー１０３で覆うことになる。送風装置１０４により吸気口１００ａから取り込まれた外気は、溝形状を通風路として肩当て部７の凸部７ｂに設けた開口７ｃ内まで送られることになる。また、ダクトベース右１０１、ダクトベース左１０２にはそれぞれ、壁形状１０１ｂ、壁形状１０２ｂを設けている。
【００２６】
図１０、図１１は、図６におけるＧ−Ｇ断面を示している。また図１０は肩当て部７がＹ方向上端位置にある状態を示しており、図１１はＹ方向下端位置まで上がった状態を示している。
【００２７】
図１０に示すように、肩当て部７の面７ｇと、ダクトベース右１０１の壁形状１０１ｂ、ダクトベース左１０２の壁形状１０２ｂがそれぞれ当接することで決まる位置を、肩当て部７の上端位置とする。この時、肩当て部７の第一の排気口７ｄは、外観側をダクトベース左１０２に覆われた状態となっている。同時に、肩当て部７の第二の排気口７ｅと、ダクトユニット１００の第二の排気口１００ｂは重なる位置に配置している。
【００２８】
同様に図１１に示すように、肩当て部７の壁形状７ｆとダクトベース右１０１の壁形状１０１ｂ、ダクトベース左１０２の壁形状１０２ｂとがそれぞれ当接することで決まる位置を、肩当て部７の下端位置とする。この時、肩当て部７の第一の排気口７ｄはダクトベース左１０２よりも−Ｙ方向に配置されるため、第一の排気口７ｄが外観面に露出する状態となっている。同時に、肩当て部７の第二の排気口７ｅと、ダクトユニット１００の第二の排気口１００ｂは重ならない位置に配置している。
【００２９】
続いて、肩当て部７の位置と排気口の関係について、外気の流れを含めて説明する。
【００３０】
図１３、図１４は図１２におけるＨ−Ｈ断面図を示しており、図１３は肩当て部７の上端位置の状態、図１４は肩当て部７の下端位置の状態を示している。またそれぞれ、送風装置１０４により図１の吸気窓６をから取り込まれた外気の流れを、図中の矢印Ｐで示している。
【００３１】
図１３において、肩当て部７は上端位置に配置されており、肩当て部７の第一の排気口７ｄは、ダクトベース左１０２に覆われている。同時に第二の排気口７ｅとダクトユニット１００の第二の排気口１００ｂは重なった状態に配置されている。このため、開口７ｃに入ってきた外気Ｐは、第二の排気口７ｅ、第二の排気口１００ｂを通り、更に第二の排気窓１０から外部に排出される。
【００３２】
図１４において、肩当て部７は下端位置に配置されており、肩当て部７の第二の排気口７ｅとダクトユニット１００の第二の排気口１００ｂが重ならない配置となっている。同時に第一の排気口７ｄはダクトベース左１０２から露出する状態となっている。このため、肩当て部７の開口７ｃに入ってきた外気Ｐは、第一の排気口７ｄ、第一の排気窓８を通り、外部に排出される。すなわち、肩当て部７が上端位置にある場合は、外気は第二の排気口７ｅ、第二の排気口１００ｂを通り、撮像装置１の底面側にある第二の排気窓１０から排出される。また、肩当て部７が下端位置にある場合は、外気は第一の排気口７ｄ、第一の排気窓８から排出されることになる。なお、この下端位置では、肩当て部７のベース部７ａは、雲台当接面１５と略同じ位置となっている。
【００３３】
続いて、各撮影スタイルにおける排気口の関係について説明する。
【００３４】
図１５は、撮像装置１を肩に乗せて撮影する一般的なスタイルを示す図である。
【００３５】
肩乗せスタイルの場合、図示方向である左側面側Ｄは、撮影者の手を配置する面となる。一般的には素手で撮影しているため、この左側面側Ｄに熱を帯びたが外気が排出される排気窓を持ってくることは望ましくない。また、本実施例においては背面側Ｂに電池５を配置しているため、排気窓を配置することはスペース上難しい。正面側Ａに関してもレンズ部２を配置しているため、排気窓を配置することは困難である。
【００３６】
そのため、本実施例では、肩乗せスタイルにおいては、矢印Ｐで示すように、底面側Ｆに配置した第二の排気窓１０から排気する構成としている。肩当て部７は、撮影者の肩により上端位置に押上げられ、外気は第二の排気窓１０から外部に排出されることになる。この第二の排気窓１０から排出される外気は撮影者に影響を与えることなく、撮影者は快適に撮影することが可能となっている。なお、本実施例では底面側Ｆに配置しているが、雨対策や、ハンドル部３の構成に支障がなければ、上面側Ｅでも構わない。
【００３７】
図１６、図１７は、撮像装置１を三脚に配置して撮影するスタイルを示す図である。
【００３８】
図１６において、前述のように、肩当て部７は自重により下端位置まで移動している。この三脚撮影スタイルでは、前述の肩乗せスタイルの排気口である第二の排気窓１０は、雲台１４に覆われてしまう。そのため本実施例では前述のように、排気口を切り替えて第一の排気窓８から排気する機構としている。図１７の矢印Ｐで示すように、第一の排気窓８から排出される外気は撮影者に影響を与えることなく、快適に撮影を行うことが可能となっている。
【００３９】
図１８はハンドル部３を保持する撮影スタイルを示す図である。
【００４０】
この場合も肩当て部７は自重で下端位置まで下がり、第一の排気窓８から外気を排出することになる。この撮影スタイルにおいても、撮影者は矢印Ｐで示す排気に邪魔をされずに快適に撮影を行うことが可能となっている。
【００４１】
このように、本実施例においては、撮影者の撮影スタイルによって排気口を切り換えることで、それぞれの撮影スタイルにおいて快適な撮影を行うことが可能となっている。
【００４２】
本実施例においては、肩乗せスタイル、三脚スタイル、ハンドル保持スタイルについて説明したが、それ以外のスタイルにおいても排気口を切り換える手段を有することで、目的を達成することは可能である。また、吸気口、切り替えることになる排気口の位置に関しても、各種スタイル、構成部品の配置により、本実施例の位置に限るものではない。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４４】
１  撮像装置、２  レンズ部、３  ハンドル部、４  表示部、５  電池、６  吸気窓、
７  肩当て部、７ａ  ベース部、７ｂ  凸部、７ｃ  開口、７ｄ  第一の排気口、
７ｅ  第二の排気口、７ｆ  壁形状、７ｇ  面、８  第一の排気窓、
９  三脚取り付け部、１０  第二の排気窓、１１  撮像素子部、１２  メイン基板、
１３ａ  伝熱部材、１３ｂ  伝熱部材、１４  雲台、１５  雲台当接面、
１００  ダクトユニット、１００ａ  吸気口、１００ｂ  第二の排気口、
１０１  ダクトベース右、１０１ａ  溝形状、１０１ｂ  壁形状、
１０２  ダクトベース左、１０２ａ  溝形状、１０２ｂ  壁形状、
１０３  ダクトカバー、１０４  送風装置
【図１】
2019179942.tif 000003
【図２】
2019179942.tif 000004
【図３】
2019179942.tif 000005
【図４】
2019179942.tif 000006
【図５】
2019179942.tif 000007
【図６】
2019179942.tif 000008
【図７】
2019179942.tif 000009
【図８】
2019179942.tif 000010
【図９】
2019179942.tif 000011
【図１０】
2019179942.tif 000012
【図１１】
2019179942.tif 000013
【図１２】
2019179942.tif 000014
【図１３】
2019179942.tif 000015
【図１４】
2019179942.tif 000016
【図１５】
2019179942.tif 000017
【図１６】
2019179942.tif 000018
【図１７】
2019179942.tif 000019
【図１８】
2019179942.tif 000020